(57)【要約】【課題】ラッピング−ラッピング形状の端子形状を有する既設の通信用中間配線盤における信号線の接続作業時間を大幅に低減できるワンタッチ接続コネクタを提供する。【解決手段】通信用中間配線盤１０の裏面の端子１２が挿入される端子穴３１が、ハウジング３０の表面に形成されている。信号線３が接続された導電部材４１が、端子穴３１の内面底部に設けられている。固定ネジ２５が螺合されるネジ穴３２が、ハウジング３０の裏面に端子穴３１と隣接して形成されている。ネジ穴３２は、端子押え部材３４が取り付けられた連通部３３を介してこの隣接する端子穴３０と連通している。固定ネジ２５をネジ穴３２に螺合していくと、端子押え部材３４が固定ネジ２５に押圧されて、端子押え部材３４の先端が、連通部３３からこの隣接する端子穴３１に突出して、この隣接する端子穴３１に挿入された通信用中間配線盤１０の裏面の端子１２に食い込む。【選択図】図３
2008171664.tif 000002
【特許請求の範囲】
【請求項１】
ラッピング−ラッピング形状の端子形状を有する通信用中間配線盤（１０）の装着面に装着して使用されるワンタッチ接続コネクタ（２０，２０’）であって、
絶縁性材料で構成されたハウジング（３０）と、
一端が前記ハウジングの一方の面に取り付けられた、かつ、複数の信号線（３）を含む接続コード（４０）と、
複数本の固定ネジ（２５）とを備え、
前記ハウジングの前記一方の面と対向する他方の面に、前記通信用中間配線盤の前記装着面に格子状に形成された複数の端子（１２）がそれぞれ挿入される複数の端子穴（３１）が、格子状に形成されており、
前記端子穴の内面底部に、前記接続コードから引き出されて前記ハウジング内を配線された前記信号線が接続された導電部材（４１）が設けられており、
前記ハウジングの前記一方の面に、前記固定ネジが螺合される、かつ、該ハウジングの前記他方の面に達しないネジ穴（３２）が、前記複数の端子穴のうちの１つの端子穴と隣接して形成されており、
該ネジ穴が、前記ハウジングに形成された連通部（３３）を介して前記隣接する端子穴と連通しており、
該連通部に、端子押え部材（３４，３４’）が取り付けられており、
前記固定ネジを前記ネジ穴に螺合していくと、前記端子押え部材が該固定ネジに押圧されて、該端子押え部材の先端が、前記連通部から前記隣接する端子穴に突出して、該隣接する端子穴に挿入された前記端子に食い込む、
ことを特徴とする、ワンタッチ接続コネクタ。
【請求項２】
前記端子押え部材が、前記端子よりも硬い材料で構成されており、かつ、前記ハウジングの前記一方の面から前記他方の面に向かって延びていることを特徴とする、請求項１記載のワンタッチ接続コネクタ。
【請求項３】
前記端子押え部材（３４）の先端部が、前記隣接する端子穴に向かって屈曲する屈曲部（３４ｂ）となっており、
前記端子押え部材が、該端子押え部材の根元部に、前記ハウジングに該端子押え部材を揺動自在に支持して該端子押え部材の前記屈曲部の先端を前記連通部から前記隣接する端子穴に突出させることができるとともに該隣接する端子穴から該連通部に引き込めることができるようにするための支軸部（３４ａ）を有し、
前記ハウジングと前記端子押え部材との間に、該端子押え部材の前記支軸部を中心とした揺動による圧縮力を受けることで圧縮変形する圧縮バネ（３５）が取り付けられている、
ことを特徴とする、請求項１または２記載のワンタッチ接続コネクタ。
【請求項４】
前記端子押え部材（３４’）が、前記固定ネジに押圧されることで弾性変形する材料で構成されており、
該端子押え部材の先端部が、前記隣接する端子穴に向かって屈曲する屈曲部となっており、
前記端子押え部材の根元部が、前記ハウジングに固定されている、
ことを特徴とする、請求項１または２記載のワンタッチ接続コネクタ。
【請求項５】
前記端子押え部材（３４，３４’）の前記屈曲部の先端が鋭利にされていることを特徴とする、請求項３または４記載のワンタッチ接続コネクタ。
【請求項６】
前記固定ネジの本数が４本であり、
４つの前記ネジ穴が、前記格子状に形成された複数の端子穴の四隅の端子穴とそれぞれ隣接する位置に形成されていることを特徴とする、請求項１乃至５いずれかに記載のワンタッチ接続コネクタ。
【請求項７】
前記固定ネジの本数が２本以上であり、
２つ以上の前記ネジ穴が、前記格子状に形成された複数の端子穴のうちの周辺の２つ以上の端子穴とそれぞれ隣接する位置に形成されていることを特徴とする、請求項１乃至５いずれかに記載のワンタッチ接続コネクタ。
【請求項８】
前記通信用中間配線盤が既設のものであり、
前記信号線の他端を通信装置または端末装置に接続し、前記ワンタッチ接続コネクタを前記通信用中間配線盤に装着して、通信装置間または通信装置および端末装置間を接続または接続変更する、
ことを特徴とする、請求項１乃至７いずれかに記載のワンタッチ接続コネクタ。
【発明の詳細な説明】
【技術分野】
【０００１】
本発明は、ワンタッチ接続コネクタに関し、特に、ラッピング−ラッピング形状の端子形状を有する既設の通信用中間配線盤（ＩＤＦ：Intermediate Distribution Frame）に使用するのに好適なワンタッチ接続コネクタに関する。
【背景技術】
【０００２】
従来、図６に示すように、第１および第２の通信装置１1，１2間や第１または第２の通信装置１1，１2および端末装置２間を容易に接続または接続変更するために、ラッピング−ラッピング形状の端子形状を有する通信用中間配線盤１０を用いて、信号線３をラッピングして第１通信装置１1の端子１ａ、第２の通信装置１2の端子１ｂおよび端末装置２の端子２ａと通信用中間配線盤１０の裏面の端子１２とを電気的に接続するとともに、ジャンパ線４をラッピングして通信用中間配線盤１０の表面の２つの端子１２を電気的に接続している。
【０００３】
なお、下記の特許文献１には、各ゾーンのゾーンボックス内のターミナルの結線状態および機能を容易に変更できるとともに一見して分かるようにするために、交換コードにより、中間配線盤における機能別に固定割付けされた一次側端子群の所望の端子と各ゾーンおよびターミナルの順列に従って固定割付けされた二次側端子群の所望の端子とを接続した統合配線システムが開示されている。
【０００４】
また、下記の特許文献２には、ラッピング作業がし易くかつ安価で使いよい端子盤の支持金具が開示されている。この端子盤の支持金具においては、支持金具の基部は、垂直板に２枚の水平板が間隔をあけて溶接されている。各水平板には左右一対の長方形の穴があけてある。延設部は、互いに枢支された第１および第２の板材を備えており、第１の板材はほぼ半円形で、その後側に、左右一対の爪が直角に延びている。第２の板材は、横長の端子盤取付部の中央から帯状に延びており、その先端を、第１の板材の中央にピンで枢支する。枢支部分の構造は、両板材に穴をあけ、これにウレタン樹脂製のワッシャをあてがい、ピン（リベット）を挿入してかしめる。第２の板材には小さな穴をあけ、その中に選択的には係合する３つの突起を第１の板材に設ける。
【特許文献１】特開平６−１２１３４８号公報
【特許文献２】登録実用新案第３０７４０７９号公報
【発明の開示】
【発明が解決しようとする課題】
【０００５】
しかしながら、通信用中間配線盤の端子形状はラッピング−ラッピング形状になっているため、通信装置や端末装置を設置する場合には、作業員は多数（数十本から数百本以上）の信号線をラッピング作業により接続する必要があるので、接続作業に時間がかかるという問題があった。
また、通信装置を取り替える場合には、作業員は多数の信号線を接続し直す必要があるが、この作業中には通信回線は停止されるので、通信回線切替に伴う回線停止時間が長くなるという問題があった。
【０００６】
なお、ラッピング−ラッピング形状の端子形状を有する既設の通信用中間配線盤をコネクタジャック−ラッピング形状の端子形状を有する通信用中間配線盤に取り替えることも行われているが、通信用中間配線盤の取替作業中には通信回線は停止されるので、回線停止時間が長くなるという問題のほかに、通信用中間配線盤の取替に伴う費用負担も大きくなるという問題がある。
【０００７】
本発明の目的は、ラッピング−ラッピング形状の端子形状を有する既設の通信用中間配線盤における信号線の接続作業時間を大幅に低減することができるワンタッチ接続コネクタを提供することにある。
【課題を解決するための手段】
【０００８】
本発明のワンタッチ接続コネクタは、ラッピング−ラッピング形状の端子形状を有する通信用中間配線盤（１０）の装着面に装着して使用されるワンタッチ接続コネクタ（２０，２０’）であって、絶縁性材料で構成されたハウジング（３０）と、一端が前記ハウジングの一方の面に取り付けられた、かつ、複数の信号線（３）を含む接続コード（４０）と、複数本の固定ネジ（２５）とを備え、前記ハウジングの前記一方の面と対向する他方の面に、前記通信用中間配線盤の前記装着面に格子状に形成された複数の端子（１２）がそれぞれ挿入される複数の端子穴（３１）が、格子状に形成されており、前記端子穴の内面底部に、前記接続コードから引き出されて前記ハウジング内を配線された前記信号線が接続された導電部材（４１）が設けられており、前記ハウジングの前記一方の面に、前記固定ネジが螺合される、かつ、該ハウジングの前記他方の面に達しないネジ穴（３２）が、前記複数の端子穴のうちの１つの端子穴と隣接して形成されており、該ネジ穴が、前記ハウジングに形成された連通部（３３）を介して前記隣接する端子穴と連通しており、該連通部に、端子押え部材（３４，３４’）が取り付けられており、前記固定ネジを前記ネジ穴に螺合していくと、前記端子押え部材が該固定ネジに押圧されて、該端子押え部材の先端が、前記連通部から前記隣接する端子穴に突出して、該隣接する端子穴に挿入された前記端子に食い込むことを特徴とする。
ここで、前記端子押え部材が、前記端子よりも硬い材料で構成されており、かつ、前記ハウジングの前記一方の面から前記他方の面に向かって延びていてもよい。
前記端子押え部材（３４）の先端部が、前記隣接する端子穴に向かって屈曲する屈曲部（３４ｂ）となっており、前記端子押え部材が、該端子押え部材の根元部に、前記ハウジングに該端子押え部材を揺動自在に支持して該端子押え部材の前記屈曲部の先端を前記連通部から前記隣接する端子穴に突出させることができるとともに該隣接する端子穴から該連通部に引き込めることができるようにするための支軸部（３４ａ）を有し、前記ハウジングと前記端子押え部材との間に、該端子押え部材の前記支軸部を中心とした揺動による圧縮力を受けることで圧縮変形する圧縮バネ（３５）が取り付けられていてもよい。
前記端子押え部材（３４’）が、前記固定ネジに押圧されることで弾性変形する材料で構成されており、該端子押え部材の先端部が、前記隣接する端子穴に向かって屈曲する屈曲部となっており、前記端子押え部材の根元部が、前記ハウジングに固定されていてもよい。
前記端子押え部材（３４，３４’）の前記屈曲部の先端が鋭利にされていてもよい。
前記固定ネジの本数が４本であり、４つの前記ネジ穴が、前記格子状に形成された複数の端子穴の四隅の端子穴とそれぞれ隣接する位置に形成されていてもよい。
前記固定ネジの本数が２本以上であり、２つ以上の前記ネジ穴が、前記格子状に形成された複数の端子穴のうちの周辺の２つ以上の端子穴とそれぞれ隣接する位置に形成されていてもよい。
前記通信用中間配線盤が既設のものであり、前記信号線の他端を通信装置または端末装置に接続し、前記ワンタッチ接続コネクタを前記通信用中間配線盤に装着して、通信装置間または通信装置および端末装置間を接続または接続変更してもよい。
【発明の効果】
【０００９】
本発明のワンタッチ接続コネクタは、以下の効果を奏する。
（１）ワンタッチ接続コネクタを通信用中間配線盤の裏目に装着するだけで信号線を接続することができるので、ラッピング−ラッピング形状の端子形状を有する既設の通信用中間配線盤における信号線の接続作業時間を大幅に低減することができる。
（２）端子押え部材の先端を通信用中間配線盤の裏目の端子に食い込ませるだけでワンタッチ接続コネクタを通信用中間配線盤に固定することができるので、ワンタッチ接続コネクタが通信用中間配線盤から抜けることを簡単に防止することができる。
（３）既設の通信用中間配線盤を同一仕様の通信用中間配線盤に取り替える場合にも、ワンタッチ接続コネクタを差し替えるだけで通信回線を切り替えることができるので、回線停止時間を大幅に低減することができる。また、通信用中間配線盤の取替前後で同じ端子を使用することができるので、余分な端子を準備する必要がなくなる。
（４）既設の通信用中間配線盤の端子を取り替えたり加工したりすることなくワンタッチ接続コネクタを使用することができる。
【発明を実施するための最良の形態】
【００１０】
上記の目的を、ワンタッチ接続コネクタのネジ穴に固定ネジを螺合していき、ワンタッチ接続コネクタの連通部に取り付けた端子押え部材を固定ネジで押圧して、端子押え部材の先端を連通部からワンタッチ接続コネクタのネジ穴と隣接する端子穴に突出させて、この隣接する端子穴に挿入された通信用中間配線盤の裏面の端子に端子押え部材の先端を食い込ませることにより実現した。
【実施例１】
【００１１】
以下、本発明のワンタッチ接続コネクタの実施例について、図面を参照して説明する。
本発明の一実施例によるワンタッチ接続コネクタ２０は、通信装置間または通信装置と端末装置との間を接続する通信用中間配線盤１０の裏面（装着面）に装着して使用するものである。
【００１２】
ここで、通信用中間配線盤１０は、既に設置されて使用されているものであり、図１に示すように、絶縁板１１の両面（通信用中間配線盤１０の表面および裏面）に端子１２（ハニカム端子）が５列×５段の格子状に配列されたラッピング−ラッピング形状の端子形状を有するものである。なお、端子１２の配列は５列×５段以外であってもよい。
【００１３】
ワンタッチ接続コネクタ２０は、プラスチックなどの絶縁性材料で構成されたハウジング３０と、一端がハウジング３０の裏面に取り付けられた接続コード４０とを備える。
ここで、接続コード４０は５×５＝１０本の信号線３を含み、信号線３の他端（ワンタッチ接続コネクタ２０と反対側の端）は、通信装置または端末装置に接続されている。
【００１４】
ハウジング３０の表面（通信用中間配線盤１０の裏面と対向する面）には、図２にハウジング３０の断面で示すように、通信用中間配線盤１０の裏面の５×５＝２５本の端子１２がそれぞれ挿入される２５個の端子穴３１が５列×５段の格子状に形成されている。
【００１５】
各端子穴３１の内面底部には、導電部材４１が設けられている。また、導電部材４１には、接続コード４０から引き出されてハウジング３０内を配線された信号線３が１本ずつ接続されている。これにより、ワンタッチ接続コネクタ２０を通信用中間配線盤１０の裏面に装着すれば、通信用中間配線盤１０の裏面の端子１２の先端部分が導電部材４１に接触するので、通信用中間配線盤１０の裏面の端子１２と通信装置または端末装置とを信号線３を介して電気的に接続することができる。
【００１６】
ハウジング３０の裏面の四隅には、４本の固定ネジ２５（図１参照）が１本ずつ螺合される４つのネジ穴３２が、１列１段目および５列１段目の端子穴３１の上側と１列５段目および５列５段目の端子穴３１の下側に隣接してそれぞれ形成されている。なお、ネジ穴３２は、ハウジング３０の裏面から表面に貫通しておらず、ハウジング３０の表面には達していない。
また、ネジ穴３２は、ハウジング３０に形成された連通部３３を介して、隣接する端子穴３１と連通している。
連通部３３には、ハウジング３０の裏面から表面に向かって延びる端子押え部材３４が取り付けられている。
【００１７】
端子押え部材３４は、端子１２よりも硬い材料で構成されており、その根元部（ハウジング３０の裏面側の端部）に支軸部３４ａを有する。また、端子押え部材３４の先端部（ハウジング３０の表面側の端部）は、端子穴３１に向かって屈曲する屈曲部３４ｂとなっている。
支軸部３４ａは、ハウジング３０に端子押え部材３４を揺動自在に支持して、端子押え部材３４の屈曲部３４ｂの先端を連通部３３から端子穴３１に突出できるとともに端子穴３１から連通部３３に引き込めることができるようにする。
屈曲部３４ｂは、端子穴３１に突出したときにその先端が端子穴３１内に挿入された端子１２に食い込む長さとされている。
【００１８】
ハウジング３０と端子押え部材３４との間には、端子押え部材３４の支軸部３４ａを中心とした揺動による圧縮力（固定ネジ２５で端子押え部材３４を端子穴３１に向かって押し付ける力）を受けることで圧縮変形する圧縮バネ３５が取り付けられている。なお、端子押え部材３４の屈曲部３４ｂの先端は、圧縮バネ３５が圧縮力を受けていない状態では、圧縮バネ３５によってネジ穴３２から連通部３３に引き込まれている。
【００１９】
次に、ワンタッチ接続コネクタ２０の使用方法について、図３および図４を参照して説明する。
まず、固定ネジ２５をハウジング３０から取り外した状態で、ワンタッチ接続コネクタ２０の表面を通信用中間配線盤１０の裏面と対向させたのち、ワンタッチ接続コネクタ２０を通信用中間配線盤１０に近づけていくことにより、図３に示すようにワンタッチ接続コネクタ２０の各端子穴３１に通信用中間配線盤１０の裏面の各端子１２をそれぞれ挿入させる。これによって、通信用中間配線盤１０の裏面の各端子１２とワンタッチ接続コネクタ２０の各導電部材４１とが電気的に接続されることにより、通信用中間配線盤１０の裏面の各端子１２と通信装置または端末装置とが接続コード４０（各信号線３）を介して接続される。
【００２０】
その後、４本の固定ネジ２５を４つのネジ穴３２にそれぞれ螺合していく。このとき、ネジ穴３２には端子押え部材３４の屈曲部３４ｂの末端部が突出しているため、固定ネジ２５がネジ穴３２を進んで行くと、固定ネジ２５は端子押え部材３４と当接する。固定ネジ２５をさらに螺合すると、固定ネジ２５は、圧縮バネ３５の付勢力に抗して端子押え部材３４を端子穴３１に向かって押し付ける。これにより、端子押え部材３４が支軸部３４ａを中心として揺動して、図４に示すように、端子押え部材３４の屈曲部３４ｂの先端が、端子穴３１に突出して、端子穴４１に挿入された端子１２を押圧する。
【００２１】
端子押え部材３４は端子１２よりも硬い材料で構成されているので、端子押え部材３４の屈曲部３４ｂの先端が端子１２に食い込む。これにより、端子１２が端子押え部材３４によって保持されて、ワンタッチ接続コネクタ２０が通信用中間配線盤１０に固定される。その結果、通信用中間配線盤１０に装着されたワンタッチ接続コネクタ２０が不用意に抜けることを防止することができる。
【００２２】
このように、ワンタッチ接続コネクタ２０を通信用中間配線盤１０に装着したのち固定ネジ２５を締め付けるだけで、極めて簡単に通信用中間配線盤２０と通信装置または端末装置とを接続することができるとともにワンタッチ接続コネクタ２０を通信用中間配線盤１０に固定することができる。
【００２３】
なお、端子押え部材３４の屈曲部３４ｂの先端が端子１２に良好に食い込むようにするためには、端子押え部材３４の屈曲部３４ｂの先端は鋭利にした方がよい。
【００２４】
また、固定ネジ２５は、ワンタッチ接続コネクタ２０を通信用中間配線盤１０の絶縁板１１に固定するためにではなく端子押え部材３４の屈曲部３４ｂの先端を端子１２に食い込ませるために用いるので、通信用中間配線盤１０の絶縁板１１に固定ネジ２５を螺合するためのネジ穴を形成する必要はない。そのため、通信用中間配線盤１０に追加工などは不要であり、既設の通信用中間配線盤１０をそのまま使用することができる。
【００２５】
通信装置または端末装置の接続を変更する際は、固定ネジ２５を緩めてハウジング３０から取り外せば、端子押え部材３４の屈曲部３４ｂの先端は圧縮バネ３５の復元力によって連通部３３に引き込まれるので、ワンタッチ接続コネクタ２０を通信用中間配線盤１０から簡単に取り外すことができる。
【００２６】
以上の説明では、支軸部３４ａを中心として揺動する端子押え部材３４を用いたが、図５に示すワンタッチ接続コネクタ２０’のように、端子１２よりも硬くかつ固定ネジ２５に押圧されることで弾性変形する材料で端子押え部材３４’を構成することにより、根元部をハウジング３０に固定した端子押え部材３４’を用いることもできる。この場合には、端子押え部材３４’自身の弾性を利用して、固定ネジ２５を取り外したときに端子押え部材３４’を元の位置に復帰させるようにすれば、端子押え部材３４’を付勢するための圧縮バネ３５が不要となり、構造を簡単にすることができる。なお、このような構成の端子押え部材３４’は、たとえばインサート成形によって作ることができる。
【００２７】
また、固定ネジ２５の本数は４本以外でもよい。すなわち、固定ネジ２５の本数を２本以上とし、格子状に形成された２５個の端子穴１２のうちの周辺の２つ以上の端子穴１２とそれぞれ隣接する位置に２つ以上のネジ穴３２を形成してもよい。この場合にも、好ましくは、四隅の端子穴１２とそれぞれ隣接する位置に４つのネジ穴３２を形成する。
【図面の簡単な説明】
【００２８】
【図１】本発明の一実施例によるワンタッチ接続コネクタ２０の構成を説明するための斜視図である。
【図２】図１に示したハウジング３０の構成を説明するための断面図である。
【図３】図１に示したワンタッチ接続コネクタ２０を通信用中間配線盤１０に装着した状態を示す断面図である。
【図４】図１に示したワンタッチ接続コネクタ２０を通信用中間配線盤１０に固定した状態を示す要部断面図である。
【図５】図１に示した端子押え部材３４の変形例を備えたワンタッチ接続コネクタ２０’の構成を説明するための要部断面図である。
【図６】通信用中間配線盤を用いて通信装置間や通信装置および端末装置間を接続する従来の方法について説明するための図である。
【符号の説明】
【００２９】
１1，１2  第１および第２の通信装置
１ａ，１ｂ，２ａ，１２  端子
２  端末装置
３  信号線
４  ジャンパ線
１０  通信用中間配線盤
１１  絶縁板
２０，２０’  ワンタッチ接続コネクタ
２５  固定ネジ
３０  ハウジング
３１  端子穴
３２  ネジ穴
３３  連通部
３４，３４’  端子押え部材
３４ａ  支軸部
３４ｂ  屈曲部
３５  圧縮バネ
４０  接続コード
４１  導電部材
【図１】
2008171664.tif 000003
【図２】
2008171664.tif 000004
【図３】
2008171664.tif 000005
【図４】
2008171664.tif 000006
【図５】
2008171664.tif 000007
【図６】
2008171664.tif 000008